(57)【要約】【課題】  下枠シール装着溝の縦枠側外端部と縦枠シール取付片の下枠側下端部との間の呑込み部分を、確実にシールすることができる建具枠体のシール構造およびこれを備えた浴室建具を提供することを課題とする。【解決手段】  下枠シール部材８１が装着される下枠シール装着溝８０の縦枠側外端部１０３と、縦枠シール部材９４が装置される縦枠シール取付片９３の下枠側下端部１０５と、の間をシールする建具枠体２１のシール構造において、縦枠側外端部１０３と下枠側下端部１０５との間に介設した溝内シール部１１２と、下枠３１の上面を越えて延在する溝外シール部１１５とを有するシールピース１１１と、溝外シール部１１５を下枠側下端部１０５に押圧するシール押さえ１２１と、を備えたものである。【選択図】  図４
2005200975.tif 000002
【特許請求の範囲】
【請求項１】
下枠の上面に窪入形成され下枠シール部材が装着される下枠シール装着溝の縦枠側外端部と、
縦枠の内面に突出形成され縦枠シール部材が装置される縦枠シール取付片にあって、前記縦枠側外端部に呑み込ませた下枠側下端部と、の間をシールする建具枠体のシール構造において、
前記下枠シール装着溝の縦枠側外端部と前記縦枠シール取付片の下枠側下端部との間に介設した溝内シール部と、前記下枠の上面を越えて前記溝内シール部の上側に延在する溝外シール部とを有するシールピースと、
前記溝外シール部を前記下枠側下端部に押圧するシール押さえと、を備えたことを特徴とする建具枠体のシール構造。
【請求項２】
前記下枠シール装着溝の縦枠側外端部は、前記下枠シール部材の抜止め片が切除され、
前記溝内シール部は、前記縦枠側外端部の底面に添う底面添設部位と、前記縦枠側外端部の側面に添う側面添設部位とから成ることを特徴とする請求項１に記載の建具枠体のシール構造。
【請求項３】
前記下枠と前記縦枠とは、縦枠通しで且つシーラーを介設した状態で枠組みされ、且つ前記シーラーは、前記溝外シール部の端面に対応する第１延設部を有し、
前記シールピースは、見付け方向の一方の端面が前記下枠シール部材の端面に密接し、他方の端面が前記シーラーに密接していることを特徴とする請求項１または２に記載の建具枠体のシール構造。
【請求項４】
前記シーラーは、前記シール押さえの端面に対応する第２延設部を有し、
前記シール押さえの縦枠側端面は、前記シーラーに密接していることを特徴とする請求項３に記載の建具枠体のシール構造。
【請求項５】
前記シール押さえは、前記下枠の小口から略「Ｕ」字状に切り込んだ切欠き部に、見付け方向外側からスライド装着されていることを特徴とする請求項１ないし４のいずれかに記載の建具枠体のシール構造。
【請求項６】
請求項１ないし５のいずれかに記載の建具枠体のシール構造を有する建具枠体と、
前記建具枠体に開閉自在に装着した建具本体と、を備えたことを特徴とする浴室建具。
【発明の詳細な説明】
【技術分野】
【０００１】
本発明は、浴室やシャワー室等の水場の出入口として設けられるドア、折戸、引戸等の建具において、その建具枠体のシール構造およびこれを備えた浴室建具に関するものである。
【背景技術】
【０００２】
従来、この種の建具下枠のシール構造として、浴室ドアのドア枠に適用したものが知られている。このドア枠の下部コーナー部は、下枠シール部材が装着される下枠シール装着溝の縦枠側外端部に、縦枠シール部材が装置される縦枠シール取付片の下枠側下端部を呑み込ませるようにして枠組みされ、下枠シール部材の外端面と縦枠シール部材の下端部とを連続させることでシール性を維持している。
具体的には、下枠シール部材の外端面と縦枠シール部材の下端部との間に、縦長の補助シール部材を介設すると共に、この補助シール部材を脱衣室側から押さえる止水ピースを設けるようにし、下枠シール部材と縦枠シール部材との突き当て部分のシール性を向上させるようにしている。
【特許文献１】特開２００２−１４７１３７号公報
【発明の開示】
【発明が解決しようとする課題】
【０００３】
このような従来のシール構造では、下枠シール部材と縦枠シール部材との突き当て部分を良好にシールすることができるが、下枠シール装着溝の縦枠側外端部と縦枠シール取付片の下枠側下端部との間の呑込み部分では、毛細管現象により排水が回り込み、且つ水圧（またはエアー圧）が加わることでこの部分から漏水する問題があった。
もっとも、この呑込み部分にシーラー等を介設してシール性を高めることが考えられる。しかし、脱衣室床が微妙に撓んで施工されている場合に、これに固定した下枠も撓むため、呑込み部分の呑込み寸法が短くなり、シール面積が小さくなってこの部分から漏水するおそれがあった。
【０００４】
本発明は、下枠シール装着溝の縦枠側外端部と縦枠シール取付片の下枠側下端部との間の呑込み部分を、確実にシールすることができる建具枠体のシール構造およびこれを備えた浴室建具を提供することを課題としている。
【課題を解決するための手段】
【０００５】
本発明の建具枠体のシール構造は、下枠の上面に窪入形成され下枠シール部材が装着される下枠シール装着溝の縦枠側外端部と、縦枠の内面に突出形成され縦枠シール部材が装置される縦枠シール取付片にあって、縦枠側外端部に呑み込ませた下枠側下端部と、の間をシールする建具枠体のシール構造において、下枠シール装着溝の縦枠側外端部と縦枠シール取付片の下枠側下端部との間に介設した溝内シール部と、下枠の上面を越えて溝内シール部の上側に延在する溝外シール部とを有するシールピースと、溝外シール部を下枠側下端部に押圧するシール押さえと、を備えたことを特徴とする。
【０００６】
この構成によれば、下枠シール装着溝の縦枠側外端部と縦枠シール取付片の下枠側下端部との間に介設したシールピースが、溝内シール部と溝外シール部とを有し、且つ溝外シール部をシール押さえにより押圧するようにしているため、施工上、縦枠側外端部に対する下枠側下端部の呑込み寸法が短くなることがあっても、シールピースと下枠側下端部との接触面積を十分に執ることができる。すなわち、シールピースおよびシール押さえにより、下枠シール装着溝の縦枠側外端部と縦枠シール取付片の下枠側下端部との間のシール面積を大きく執ることができる。
なお、シールピースおよびシール押さえは、下部の両コーナー部に設けられることは、いうまでもない。また、シールピースおよびシール押さえは、建具本体の開閉の邪魔にならないように、浴室であれば脱衣室側に設けることが、好ましい。
【０００７】
この場合、下枠シール装着溝の縦枠側外端部は、下枠シール部材の抜止め片が切除され、溝内シール部は、縦枠側外端部の底面に添う底面添設部位と、縦枠側外端部の側面に添う側面添設部位とから成ることが、好ましい。
【０００８】
この構成によれば、溝内シール部の底面添設部位により、縦枠側外端部（下枠シール装着溝）の底面と、下枠側下端部（縦枠シール取付片）の端面との間もシールすることができるため、この部分のシール性をより一層向上させることができる。
【０００９】
これらの場合、下枠と縦枠とは、縦枠通しで且つシーラーを介設した状態で枠組みされ、且つシーラーは、溝外シール部の端面に対応する第１延設部を有し、シールピースは、見付け方向の一方の端面が下枠シール部材の端面に密接し、他方の端面がシーラーに密接していることが、好ましい。
【００１０】
この構成によれば、シールピースの一方の端面と下枠シール部材の端面とが密接するため、下枠シール部材と縦枠側とが良好にシールされると共に、シールピースの他方の端面とシーラーとが密接するため、シールピースと縦枠側とが良好にシールされる。
【００１１】
この場合、シーラーは、シール押さえの端面に対応する第２延設部を有し、シール押さえの縦枠側端面は、シーラーに密接していることが好ましい。
【００１２】
この構成によれば、シールピースと縦枠側との間を、より一層良好にシールするこができる。
【００１３】
この場合、シール押さえは、下枠の小口から略「Ｕ」字状に切り込んだ切欠き部に、見付け方向外側からスライド装着されていることが、好ましい。
【００１４】
この構成によれば、シール押さえを、その機能を損なうことなく、下枠に簡単に固定することができる。また、シール押さえを下枠に固定するためのビス等が露出することがなく、意匠上も好ましい。
【００１５】
本発明の浴室建具は、上記したシール構造を有する建具枠体と、建具枠体に開閉自在に装着した建具本体と、を備えたことを特徴とする。
【００１６】
この構成によれば、建具枠体に施工上の誤差が生じても、浴室建具全体としてシール性を向上させることができる。
【発明の効果】
【００１７】
以上のように本発明の建具枠体のシール構造および浴室建具によれば、シールピースおよびシール押さえにより、下枠シール装着溝の縦枠側外端部と縦枠シール取付片の下枠側下端部との間のシール面積を大きく執ることができるため、建具枠体に施工上の不備が生じてもそのシール性を損なうことがなく、シール性に関し浴室建具の信頼性を向上させることができる。
【発明を実施するための最良の形態】
【００１８】
以下、添付図面を参照して、本発明の一実施形態に係る建具下枠のシール構造を浴室建具に適用した場合について説明する。この浴室は、脱衣室との間にほぼ背段差を無くした（実際には３ｍｍの段差がある）バリアフリー設計となっており、ユニットバスで構成した浴室と脱衣室との間の出入口に、浴室建具が取り付けられている。図１は浴室建具の浴室側から見た姿図であり、浴室建具１は、出入口となる浴室ドア２と、浴室ドア２に連窓形式で併設したフィックス窓３とで構成されている。
【００１９】
フィックス窓３は、浴室ドア２と同一の高さを有し且つ浴室ドア３より幅狭に形成されており、窓枠１１と窓枠１１に装着した樹脂製の窓パネル１２とで構成されている。窓枠１１は、それぞれアルミニウムの形材等で形成して窓上枠１４、窓下枠１５および左右の両窓縦枠１６，１６を方形に枠組みして構成され、この框体を兼ねる窓枠１１に、窓パネル１２が浴室Ａ側から押縁形式で装着されている。
【００２０】
浴室ドア２は、出入口開口部を構成するドア枠（建具枠体）２１と、上下のピンヒンジ（上ピンヒンジ２２ａおよび下ピンヒンジ２２ｂ）２２により、ドア枠２１に開閉自在に支持された框戸である扉体（建具本体）２３とで構成されている。この場合、下ピンヒンジ２２ｂは、いわゆるグラビティヒンジで構成されており、扉体２３は、開放の初期動作において、徐々に上昇しながら開放され、また閉塞の終期動作において、徐々に下降しながら閉塞される。
【００２１】
ドア枠２１は、それぞれアルミニウムの形材等で形成して上枠３１、下枠３２および左右の両縦枠３３，３３を方形に枠組みして、構成されている。一方、扉体２３は、それぞれアルミニウムの形材等で形成した上框３５、下框３６、戸先縦框３７および吊元縦框３８を方形に框組みし、これに樹脂製のパネル体３９を組み込んで、構成されている。そして、ユニットバスの防水パン５で構成される浴室床６と、ドア枠２１の下枠３２と、脱衣室Ｂの脱衣室床７とはほぼ面一に、すなわち段差が生じないように配設されている。
【００２２】
図２の縦断面図および図３の横断面図に示すように、上ピンヒンジ２２ａは、上枠３１に取り付けた上固定ピース４１ａと、吊元縦框３８の上端部に組み込んだ上可動ピース４１ｂとから成り、上固定ピース４１ａのピン孔に上可動ピース４１ｂのヒンジピンが回動自在に嵌合している。同様に、下ピンヒンジ２２ｂは、下枠３２に取り付けた下固定ピース４２ａと、吊元縦框３８の下端部に組み込んだ下可動ピース４２ｂとから成り、下固定ピース４２ａのピン孔に下可動ピース４２ｂのヒンジピンが回動自在に嵌合している。そして、この下固定ピース４２ａと下可動ピース４２ｂとの間にカム機構が介設され、いわゆるグラビティヒンジが構成されている。また、上ヒンジピン２２ａおよび下ヒンジピン（のヒンジピン）２２ｂは、吊元縦框３８の見込み方向の中間位置より浴室Ａ側に寄った位置（偏心位置）に配設されている。
【００２３】
一方、下框３６には、着脱自在に構成した隔板４４を介して上下２連の換気口４５，４５が形成されている。また、下框３６の下端部には、下枠３２の浴室Ａ側上面に密接する浴室側シール部材４６、および下枠３６の脱衣室Ｂ側上面に密接する脱衣室側シール部材４７がそれぞれ装着されている。
【００２４】
戸先縦框３７には、浴室Ａ側の見付け面に内ハンドル４８が取り付けられ、脱衣室Ｂ側の見付け面に外ハンドル４９が取り付けられている。また、戸先縦框３７の中空部内には、内外両ハンドル４８，４９によって操作されるドア錠５０が組み込まれている。吊元縦框３８は、上端部に上ピンヒンジ２２ａの上可動ピース４１ｂが組み込まれ、下端部に下ピンヒンジ２２ｂの下可動ピース４２ｂが組み込まれている。また、吊元縦框３８の上端部には、上可動ピース４１ｂのヒンジピンを下動させて上固定ピース４１ａから離脱させる離脱機構５１が組み込まれている。
【００２５】
上枠３１は、浴室Ａ側の上枠中空部６１ａと上枠中空部６１の下端部から脱衣室Ｂ側に延びる水平片６１ｂとから成る上枠本体６１と、水平片６１ｂの見込み方向中間部に下向き「Ｃ」字状に形成したヒンジ取付溝６２と、水平片６１ｂの脱衣室Ｂ側の端部を水平に延設した上枠見切り片６３と、水平片６１ｂの脱衣室Ｂ側の端部からビスホールを介して下方に延びる上枠シール取付片６４と、で一体に形成されている。そして、ヒンジ取付溝６２には、上固定側ピース４１ａが見付け方向に位置調節可能に取り付けられている。また、上枠シール取付片６３には、上框３５の脱衣室Ｂ見付け面に密接する上枠シール部材６５が装着されている。
【００２６】
下枠３２は、防水パン５の支持凹部５ａと脱衣室床７との間に掛け渡した下枠本体７１と、下枠本体７１の浴室Ａ側半部上面に載置した下枠アタッチメント７２とで構成されている。下枠アタッチメント７２は、脱衣室Ｂ側の裏面に設けた一対の係止片７４，７４により、下枠本体７１の上面に着脱自在（小口から装着）に装着されている。また、下枠アタッチメント７２の浴室Ａ側半部は、防水パン５に向かって僅かに下り傾斜に形成されており、防水パン５の浴室床６との間で段部が生じないようになっている。
【００２７】
下枠本体７１は、防水パン５の支持凹部５ａと脱衣室床７との間隙に遊嵌された下枠中空部７６と、下枠中空部７６の上端部から浴室Ａ側に延びるパン載置片７７と、下枠中空部７６の上端部から脱衣室Ｂ側に屈曲して延びる下枠見切り片７８と、上記の一対の係止片７４，７４が係止される一対の係止受け片７９ａ，７９ｂと、で一体に形成されている。パン載置片７７の先端側と防水パン５の支持凹部５ａとの間には、図示しないがコーキング等によりシールが為されている。
【００２８】
また、脱衣室Ｂ側の係止受け片７９ｂ、下枠見切り片７８および下枠中空部７６とで囲まれた部分に、上向き「Ｃ」字状断面の下枠シール装着溝８０が形成されている。そして、下枠シール装着溝８０には、上記の脱衣室側シール部材４７に密接する下枠シール部材８１が上向きに装着されている。下枠シール部材８１は先端が二股に形成され、この二股部分で脱衣室側シール部材４７に密接し、且つ頂部分で二股部分から漏れた排水を止水（堰として機能）する。なお、下枠アタッチメント７２の吊元側の切欠き部分に下ピンヒンジ２２ｂの下固定ピース４２ａが装着（下枠本体７１の上面に固定）されている。
【００２９】
このように構成された下枠３２は、浴室Ａ側の下枠アタッチメント７２、脱衣室Ｂ側の係止受け片７９ｂおよび下枠見切り片７８の各上面が面一に配設され、且つこれを挟んで両側に位置する防水パン５の浴室床６および脱衣室床７との間で、ほぼ段差の無い（３ｍｍの段差）床構造となっている。防水パン（浴室床６）５から流れてくる排水は、下框３６に設けた浴室側シール部材４６により止水される。また、浴室側シール部材４６を越えて脱衣室Ｂ側に侵入する排水は、下框３６に設けた脱衣室側シール部材４７と下枠シール部材８１により止水される。
【００３０】
一方、各縦枠３３は、見込み方向に長い方形の中空部９１ａを有する縦枠本体９１と、縦枠本体９１の脱衣室Ｂ側の端部を見込み方向に延設した縦枠見切り片９２と、縦枠見切り片９２の基部から内側の延びる縦枠シール取付片９３とで、一体に形成されている。そして、各縦枠シール取付片９３には、戸先縦框３７および吊元縦框３８にそれぞれ密接する縦枠シール部材９４が装着されている。なお、ドア枠２１の各縦枠３３と上記の窓枠１１の各窓縦枠１６とは、同一の断面形状を有しており、ドア枠２１のフィックス窓３側の縦枠３３と窓枠１１の浴室ドア２側の窓縦枠１６とは、連結枠体１８を介して背合わせに連結されている（図３参照）。
【００３１】
ここで、図４および図５を参照して、下枠３２の各外端部と各縦枠３３との枠組み部分である下部コーナー部におけるシール構造について、詳細に説明する。なお、戸先側の下部コーナー部および吊元側の下部コーナー部は同一の構造となるため、ここでは、一方の下部コーナー部についてのみ説明し、他方の下部コーナー部の説明は省略する。
【００３２】
両図に示すように、下枠３２と縦枠３３とはシーラー１０１を介在した状態で、いわゆる縦枠通しで枠組みされている。この場合、下枠３２の小口形状（輪郭形状）に合わせて、縦枠本体９１の一部および縦枠見切り片９２のそれぞれの下端部が切り欠かれ、また下枠３２の下枠シール装着溝８０に上側から呑み込ませるべく、縦枠シール取付片９３の下端部も大きく切り欠かれている。一方、上向き「Ｃ」字状断面に形成した下枠シール装着溝８０において、その縦枠側外端部１０３は、縦枠シール取付片９３の下枠側下端部１０５を呑み込むべく、その開口縁部である両抜止め片８０ａ，８０ａが切り欠かれている。
【００３３】
そして、下枠シール装着溝８０に装着した下枠シール部材８１の端面が、縦枠シール取付片９３に装着した縦枠シール部材９４の下端部（および縦枠シール取付片９３の下端部）に当接し、下枠シール部材８１と縦枠シール部材９４とが連続するようになっている。もっとも、このように下枠シール部材８１と縦枠シール部材９４とを連続させるようにしても、下枠シール装着溝８０の縦枠側外端部１０３と、これを呑み込ませた縦枠シール取付片９３の下枠側下端部１０５との間から漏水するおそれがある。
【００３４】
そこで、本実施形態では、下枠シール装着溝８０の縦枠側外端部１０３と縦枠シール取付片９３の下枠側下端部１０５との間の呑込み部分にシールピース１１１を介設すると共に、呑込み部分の脱衣室Ｂ側にシールピース１１１を縦枠シール取付片９３の下枠側下端部１０５に押圧するシール押さえ１２１を設けている。この場合、シールピース１１１は、短尺のパッキン材で構成され、シール押さえ１２１は、樹脂の成形品で構成されている。
【００３５】
シールピース１１１は、抜止め片８０ａが切り欠かれた下枠シール装着溝８０の縦枠側外端部１０３に装着され、縦枠側外端部１０３の底面に添う底面添設部位１１３および縦枠側外端部１０３の脱衣室Ｂ側の側面に添う側面添設部位１１４から成る溝内シール部１１２と、側面添設部位１１４の上側に連なり下枠（下枠見切り片７８）３２の上面を越えて延在する溝外シール部１１５と、で全体として断面「Ｌ」字状に形成されている。また、シールピース１１１は、縦枠シール取付片９３の見付け方向の突出長さとほぼ同一の長さを有している。
【００３６】
シール押さえ１２１は、シールピース１１１の溝外シール部１１５を上記の下枠側下端部１０５に押圧するものであり、下枠見切り片７８上に載置されるベース部１２２と、ベース部１２２の浴室Ａ側上面に延設けた押圧部１２３と、押圧部１２３の両側から直角に延びベース部１２２の上面の２辺に設けた一対の三角リブ部１２４，１２４と、ベース部１２２の下面にあって横断方向に延びる逆「Ｔ」字断面の取付部１２５と、で一体に形成されている。一方、下枠見切り片７８には、その小口から「Ｕ」字状に切り込んだ切欠き部７８ａが形成されており、この切欠き部７８ａに、シール押さえ１２１の取付部１２５が見付け方向外側からスライド装着されている。
【００３７】
そして、下枠見切り片７８に装着されたシール押さえ１２１は、その押圧部１２３により、溝外シール部１１５を上記の下枠側下端部１０５に圧縮するようにして押圧する。すなわち、シールピース１１１の溝内シール部１１２は、下枠シール装着溝８０の縦枠側外端部１０３と縦枠シール取付片９３の下枠側下端部１０５とにより圧縮され、溝外シール部１１５は、縦枠シール取付片９３の下枠側下端部１０５とシール押さえ１２１とにより圧縮される。これにより、縦枠シール取付片９３の下枠側下端部１０５と、下枠シール装着溝８０の縦枠側外端部１０３およびシール押さえ１２１と間隙のシール性が維持される。
【００３８】
また、シールピース１１１は、見付け方向の一方の端面が下枠シール部材８１の端面に密接し、他方の端面が上記のシーラー１０１に密接している。また、シール押さえ１２１も、その縦枠３３側の端面がシーラー１０１に密接している。すなわち、シーラー１０１の上部には、溝外シール部１１５の端面に対応する第１延設部１３１ａと、シール押さえ１２１の端面に対応する第２延設部１３１ｂとから成る延設部１３１が、下枠見切り片７８の上面を越えるようにして設けられている。これにより、シールピース１１１と縦枠見切り片９２との間も良好にシールされている。
【００３９】
このように、下枠シール装着溝８０の縦枠側外端部１０３と縦枠シール取付片９３の下枠側下端部１０５との呑込み部分にシールピース１１１を介設すると共に、シールピース１１１の溝外シール部１１５をシール押さえ１２１により押さえるようにしているため、ドア枠２１の施工に際し、上記の呑込み部分の呑込み寸法が変化しても、シール面積を十分に維持することができ、この部分のシール性を向上させることができる。
【００４０】
なお、本実施形態のシールピースにおいて、底面添設部位を省略してもよい。また、シール押さえの下枠見切り片への固定構造は、ビス止め等であってもよい。さらに、本発明は、浴室建具の他、シャワー室等の水場の建具にも適用可能であると共に、建具として、ドアの他、折戸、引戸等にも適用可能である。
【図面の簡単な説明】
【００４１】
【図１】本発明の実施形態に係る浴室ドア（浴室建具）の浴室側から見た姿図である。
【図２】実施形態に係る浴室ドアの縦断面図である。
【図３】実施形態に係る浴室ドアの横断面図である。
【図４】コーナー部の拡大斜視図である。
【図５】コーナー部の拡大分解斜視図である。
【符号の説明】
【００４２】
１  浴室建具、２  浴室ドア、５  防水パン、６  浴室床、７  脱衣室床、２１  ドア枠、２３  扉体、３１  上枠、３２  下枠、３３  縦枠、７１  下枠本体、７８  下枠見切り片、７８ａ  切欠き部、８０  下枠シール装着溝、８０ａ  抜止め片、８１  下枠シール部材、９１  縦枠本体、９２  縦枠見切り片、９３  縦枠シール取付片、９４  縦枠シール部材、１０１  シーラー、１０３  縦枠側外端部、１０５  下枠側か端部、１１１  シールピース、１１２  溝内シール部、１１５  溝外シール部、１２１  シール押さえ、１３１ａ  第１延設部、１３１ｂ  第２延設部、Ａ  浴室、Ｂ  脱衣室
【図１】
2005200975.tif 000003
【図２】
2005200975.tif 000004
【図３】
2005200975.tif 000005
【図４】
2005200975.tif 000006
【図５】
2005200975.tif 000007